(57)【特許請求の範囲】
【請求項１】
弾性材からなる所要の厚みと長さを有するブロック体であって、その表面側には、長さ方向に等間隔でＶ字状の切込みが形成されていると共に、表面の四周の縁が面取りされており、かつ、前記Ｖ字状の切込みの深さと前記面取りの厚さ方向の深さとは同等に形成されており、
一方、前記ブロック体の裏面側には、接着剤を充填するためのＶ字状の複数の充填溝が長さ方向および幅方向に互いに連通するよう格子状に形成されていることを特徴とする車両用保護材。
【請求項２】
前記ブロック体は、
自消性を有するものであることを特徴とする請求項１に記載の車両用保護材。
【請求項３】
前記ブロック体は、
その裏面に形成された充填溝以外の部位に粘着剤が塗布され、その表面に剥離紙が付設されていることを特徴とする請求項１又は２に記載の車両用保護材。
【請求項４】
前記ブロック体は、
その裏面に形成された充填溝以外の部位に両面接着テープが貼着され、前記両面接着テープの表面に剥離紙が設けられていることを特徴とする請求項１又は２に記載の車両用保護材。
【請求項５】
前記ブロック体は、半硬質ウレタンフォームであることを特徴とする請求項１〜４のいずれかに記載の車両用保護材。
【発明の詳細な説明】
【技術分野】
【０００１】
この発明は、車両の前後のコーナー部やドアなどの車両側面も保護することのできる車両用保護材に関するものである。
【背景技術】
【０００２】
車両の前後を保護する車両用保護材としては、例えば、特開平０７−３０９１８５号公報（特許文献１）においては、低コストで、かつ、市販されている自動車全般にわたって好適に使用することができるバンパー保護材が開示されている。
【０００３】
具体的には、自動車用バンパーの表面に貼着するようになされたものであって、独立気泡ゴム発泡体または独立気泡樹脂発泡体からなる本体と、この本体をバンパーに貼着するための粘着材とを具備したもので、前記本体の表面に反射体もしくは広告を構成するようになされたフィルム層が設けられている。
【０００４】
特開平０７−２６７０１４号公報（特許文献２）においては、三次元曲面にも対応できて、車種を問わず自動車のコーナー部に密着状態で取り付けることができ、ちょっとした傷部分に張ることによる傷隠しに用いることができ、傷付き防止になる車両用プロテクタが提案されている。
【０００５】
すなわち、基材の表面に表示部と反射部を設け、この表示部と反射部とを設けた基材の表側全体に、少なくとも常温で柔軟性のある透明保護部を形成し、この透明保護部で表示部と反射部とを覆い、基材の裏面に透明な接着部を設けたものである。
【０００６】
特開２００８−３０６５５号公報（特許文献３）に記載のプロテクタは、外装部品に伸縮が生じても剥がれることのないもので、外装品の端縁部の裏面側に両面テープによって張着されるプロテクタにおいて、プロテクタの本体部には、内周方向に傾斜して突出し厚肉となった圧接部を形成したものである。
【０００７】
実用新案登録第３０７３０８０号公報（特許文献４）に記載の自動車用バンパー保護体は、自動車におけるバンパーの角部を損傷から守るためのもので、それぞれバンパーの角部に適合する形状を備えた上側の弾性保護部と下側の弾性保護部とを弾性連結部により連結させ、上側の弾性保護部をバンパーにおける角部の上面に接触させると共に、バンパーよりも外方に突出させ、かつ下側の弾性保護部を、バンパーにおける角部の下面に接触させると共に、バンパーよりも外方に突出させた状態でバンパーの角部に嵌着するようにしたものである。
【先行技術文献】
【特許文献】
【０００８】
【特許文献１】特開平０７−３０９１８５号公報（請求項１，図２）
【特許文献２】特開平０７−２６７０１４号公報（請求項１，図２）
【特許文献３】特開２００８−３０６５５号公報（請求項１，図２）
【特許文献４】実用新案登録第３０７３０８０号公報（請求項１，図１）
【発明の開示】
【発明が解決しようとする課題】
【０００９】
特許文献１に記載の発明は、その硬度に関し、硬度が低すぎると保護効果が低く、高すぎると貼着面に追従変形させるだけの柔軟性や衝撃吸収性が低下するので、ＪＩＳＫ６３０１にてＨｓ２０〜７０°の範囲に限定することを言及している。
したがって、素材の選択に際しては、比較的厚さの薄いものが求められる。
【００１０】
特許文献２に記載の発明は、基材の表面に表示部と反射部とを設けて車両用プロテクタとするもので、前記表示部と反射部とを設けた基材を樹脂形成型に挿入して、この樹脂形成型に透明樹脂を流し込んで基材の表側全体に透明保護部を形成して、この透明保護部で表示部と反射部とを覆い、基材の裏面に接着部を設けて構成するものである。
したがって、車両用プロテクタの製造工程が多岐に亘り、全体のコストを押し上げる要因を内在するものである。
【００１１】
さらに、前記基材には透明シ−トが使用され、前記表示部にはシルク印刷のような印刷手段によりＡＢＣＤＥなる文字が印刷され、前記反射部は蓄光塗料の塗布により形成しているので、より全体のコストが嵩むもので、一般的ではない。
【００１２】
特許文献３に記載のプロテクタは、外装部品に伸縮が生じても剥がれることのないプロテクタであって、ラジエータグリルの端縁部裏面側に、両面テープによって張着されるプロテクタにおいて、プロテクタの本体部には内周方向に傾斜して突出させ、厚肉となった圧接部を形成するもので、車両の前後に配される車両用保護材ではない。
【００１３】
この発明はかかる現状に鑑み、車両の前および／または後のバンパーやドアなどの車両側面も保護することのでき、さらには、車両に対しても簡単かつ容易に貼着することが可能な車両用保護材を提供するもとを目的とするものである。
【課題を解決するための手段】
【００１４】  前記目的を達成するため、本発明に係る車両用保護材は、弾性材からなる所要の厚みと長さを有するブロック体であって、その表面側には、長さ方向に等間隔でＶ字状の切込みが形成されていると共に、表面の四周の縁が面取りされており、かつ、前記Ｖ字状の切込みの深さと前記面取りの厚さ方向の深さとは同等に形成されており、
一方、前記ブロック体の裏面側には、接着剤を充填するためのＶ字状の複数の充填溝が長さ方向および幅方向に互いに連通するよう格子状に形成されていることを特徴とするものである。【００１５】また、前記ブロック体は、自消性を有するものであってもよい。【００１６】また、前記ブロック体は、その裏面に、接着剤を充填するための充填溝が、長さ方向および幅方向に互いに連通するよう形成されていてもよい。【００１７】また、前記ブロック体は、その裏面に形成された充填溝以外の部位に粘着剤が塗布され、その表面に剥離紙が付設されていてもよい。【００１８】  また、前記ブロック体は、その裏面に形成された充填溝以外の部位に両面接着テープが貼着され、前記両面接着テープの表面に剥離紙が設けられていてもよい。【００１９】また、前記ブロック体は、表面の四周の縁が面取りされるとともに、相対する側縁間に所要の間隔を存して凹状の切込み部が形成されていてもよい。
【発明の効果】
【００２０】  また、前記ブロック体は、半硬質ウレタンフォームであってもよい。【００２１】
その際、前記充填溝を長さ方向および幅方向に互いに連通させて設けることによって、接着剤を裏面全面に塗布する必要がなく、しかも確実にバンパーに貼着させることができる。
【００２２】
さらに、ブロック体の表面の四周に面取りを形成するとともに、長さ方向において所要の間隔で、相対する側縁間に凹状の切込み部を形成することで、ブロック体全体を長さ方向において弧状に折り曲げることが容易で、車両への貼着作業がより一層容易とすることができ、同時に意匠性を高めることができる。
【図面の簡単な説明】
【００２３】
【図１】図１は、この発明の車両用保護材の一実施例にかかる斜視図である。
【図２】図１の裏面の一部を切欠いた斜視図である。
【発明を実施するための形態】
【００２４】
以下、この発明にかかる車両用保護材の実施の形態について、具体的に説明する。
この発明の車両用保護材１は、所要の厚みと幅とを有する半硬質の発泡ポリウレタンフォームからなるブロック体２で構成されている。
【００２５】
前記ブロック体２は、厚み約２０〜５０ｍｍ、より好ましくは３５〜４５ｍｍで、長さ約５０〜７０ｃｍ、より好ましくは６０ｃｍ前後、幅約５０〜８５ｍｍ、より好ましくは７５〜８０ｍｍである。
かかるブロック体２は、弾性を有するとともに、自消性を有するものが好ましい。
【００２６】
前記ブロック体２は、その表面は、図１に示すように、上縁の四周に面取りＰを形成するとともに、長さ方向に等間隔でＶ字状の切込み３を設けたものである。
その裏面は、図２に示すように、長さ方向におよび幅方向に、適宜の深さを有する接着剤の充填するためのＶ字状の充填溝４が形成されている。
なお、前記切込み３および充填溝４はＶ字状としているが、凹状であればＶ字状に限定されるものではない。
【００２７】
この充填溝４は、ブロック体２の長手方向および幅方向に形成されるもので、当該充填溝４内に充填された接着剤によってブロック体２を、車両の前後のコーナー部や側面に確実に貼着することができれば、形成する位置や形状については特段の制限はない。
この実施例においては、充填溝４の深さは約１０ｍｍとした。
【００２８】
しかして、このブロック体２は、その裏面には、両面接着テープ５の一面が前記充填溝４以外の全面に貼着され、他面の全面には剥離紙６が付設されている。
なお、前記両面接着テープに代え、粘着剤を裏面に塗布するとともに、その表面に剥離紙を設けてもよい。
【００２９】
かかる構成のブロック体２は、使用に際して、まず、充填溝４内に接着剤を全体が均一になるよう充填したのち、剥離紙６を剥がしてバンパーの表面に前記他面を貼着することによって、接着剤が充填溝４からバンパー表面に流れ出すため、ブロック体２は車両のコーナー部の表面に接着固定される。
【００３０】
その際、前記ブロック体２の表面に形成された切込み３が、前記コーナー部の表面に沿って弧状に貼着されるブロック体２の屈曲作用を容易にする。
【００３１】
この発明の車両用保護材４は、車両の前後のコーナー部への貼着を目的とするものであるが、厚さを薄くして車両のドアの開閉部や、ドアの底面部に長さ方向に貼着することによって、ドアなどの損傷を防止することもできる。
【００３２】
＜実施例１＞
厚み３５．０ｍｍ、幅７０．０ｍｍ、長さ４９ｃｍのブロック体を発泡ウレタンフォームで形成するとともに、その裏面に深さ１０ｍｍのフレーム状の充填溝を形成し、長さ方向で相対する充填溝間に、当間隔で充填溝を形成し、長さ方向および幅方向に形成された充填溝を相互に連通させてブロック体とし、当該ブロック体の表面の四周を面取りしたのち、長さ方向にも当間隔でＶ字状の溝を形成して車両用保護材とした。
得られた車両用保護材の裏面に形成された充填溝に接着剤を充填したのち、剥離しを剥がしてライトバン（有蓋商用車）の前後の各コーナー部に貼着して、ブロック壁の壁面にやや強く接触させたが、コーナー部には損傷は発生しなかった。
その際、ブロック体の表面には、Ｖ字状の溝が形成されているので、車両の前後の下部にブロック体を容易に貼着することができた。
さらに、表面の四周に面取りが形成されているため、Ｖ字状の溝と相俟ってデザイン的にも優れたものであった。
なお、前記ブロック体の複数を車庫の内壁面に沿って同一高さで直線状に配置固定して使用したが、車両の側面が前記ブロック体に当接しても、車体には一切損傷が生じなかった。
【産業上の利用可能性】
【００３３】
この発明にかかる車両用保護材は、所要の厚みと長さを有する弾性を有するブロック体を形成し、このブロック体の裏面に接着剤を充填するための充填溝を形成されているので、例えば、車庫などの壁面に装着することによって、前記壁面が車両によって、あるいは壁面によって、車両側面が損傷することを未然に防止することができる。
【符号の説明】
【００３４】
１      車両用保護材
２      ブロック体
３      切込み
４      充填溝
５      両面接着テープ
６      剥離紙
Ｐ      面取り
【図１】
0005873472.tif 000002
【図２】
0005873472.tif 000003